(57)【要約】【課題】デスク装置に対して仕切機能を付加する。【解決手段】什器システム１Ａは、天板部２０Ａ、及び天板部２０Ａを支持する支持脚１３を備えたデスク装置１０と、天板部２０Ａの端部２０ｅと平行に延びるように設けられた仕切体、及び床面Ｆ上に設置され仕切体３１を支持する支持体３３Ａを備えた仕切りユニット３０Ａとを備え、仕切りユニット３０Ａの仕切体３１において、天板部２０Ａを向くパネル面には、配線を収容する収容ボックス３２が設けられている。【選択図】図１
2018027331.tif 000002
【特許請求の範囲】
【請求項１】
天板部、及び前記天板部を支持する支持脚を備えたデスク装置と、
前記天板部の端部と平行に延びるように設けられた仕切体、及び前記床面上に設置され前記仕切体を支持する支持体を備えた仕切りユニットとを備え、
前記仕切りユニットの前記仕切体において、前記天板部を向くパネル面には、配線を収容する収容ボックスが設けられている什器システム。
【請求項２】
前記配線は、前記天板部の下方で、前記収容ボックスに向けて下方に延びて前記収容ボックスに収容されている請求項１に記載の什器システム。
【請求項３】
前記支持脚は、上下方向に伸縮可能で、前記天板部の高さを調整可能である請求項１または請求項２に記載の什器システム。
【発明の詳細な説明】
【技術分野】
【０００１】
本発明は、什器システムに関する。
【背景技術】
【０００２】
オフィスや公共施設等においては、各種作業等を行うことのできる天板を備えたデスク装置、テーブル装置、カウンター装置等の天板付き什器が用いられている。
このような天板付き什器においては、使用者の姿勢、体格、性別、好み等によって、作業のしやすい天板の高さは個々に異なる。したがって、天板の高さを上下に変更可能とする昇降機能を備えた天板付き什器が多用されている。
【０００３】
さらに、特許文献１に示すように、脚体に複数枚の天板を備え、それぞれの天板に高さ調整機能を備えた脚体を備えた構成の天板付き什器が提案されている。このような構成の天板付き什器においては、脚体を共通としながら、複数の天板のそれぞれで天板の高さを個別に調整することができる。
【先行技術文献】
【特許文献】
【０００４】
【特許文献１】特開２０１４−２１７７４０号公報
【発明の概要】
【発明が解決しようとする課題】
【０００５】
本発明の目的は、仕切機能を付加することのできる什器システムを提供することである。
【課題を解決するための手段】
【０００６】
本発明は、上記課題を解決するため、以下の手段を採用する。
この発明に係る什器システムは、天板部、及び前記天板部を支持する支持脚を備えたデスク装置と、前記天板部の端部と平行に延びるように設けられた仕切体、及び前記床面上に設置され前記仕切体を支持する支持体を備えた仕切りユニットとを備え、前記仕切りユニットの前記仕切体において、前記天板部を向くパネル面には、配線を収容する収容ボックスが設けられている。
【０００７】
また、この発明に係る什器システムは、上記什器システムにおいて、前記配線は、前記天板部の下方で、前記収容ボックスに向けて下方に延びて前記収容ボックスに収容されているものとしても良い。
【０００８】
また、この発明に係る什器システムは、上記什器システムにおいて、前記支持脚は、上下方向に伸縮可能で、前記天板部の高さを調整可能であるものとしても良い。
【発明の効果】
【０００９】
この発明に係る什器システムによれば、仕切機能を付加することが可能となる。
【図面の簡単な説明】
【００１０】
【図１】第１の実施形態に係る什器システムの全体構成を示す斜視図である。
【図２】上記第１の実施形態における仕切ユニットのパネル支持体の構成を示す斜視図である。
【図３】上記第１の実施形態における仕切ユニットを単体で設置した状態を示す斜視図である。
【図４】第２の実施形態における仕切ユニットの構成を示す斜視図である。
【図５】上記第２の実施形態における仕切ユニットの脚体の一部の構成を示す斜視図である。
【図６】上記第２の実施形態における仕切ユニットを単体で設置した状態を示す斜視図である。
【図７】上記第２の実施形態における仕切ユニットを単体で設置した状態の他の例を示す斜視図である。
【発明を実施するための形態】
【００１１】
以下、添付図面を参照して、本発明による什器システムを実施するための形態を説明する。しかし、本発明はこれらの実施形態のみに限定されるものではない。
【００１２】
（第１の実施形態）
図１は、第１の実施形態に係る什器システムの全体構成を示す斜視図である。図２は、上記第１の実施形態における仕切ユニットのパネル支持体の構成を示す斜視図である。図３は、上記第１の実施形態における仕切ユニットを単体で設置した状態を示す斜視図である。
図１に示すように、デスクシステム（什器システム）１Ａは、デスク装置（天板付き什器）１０と、中間パネルユニット（仕切ユニット）３０Ａと、を備えている。
【００１３】
デスク装置１０は、脚体１１と、天板部２０Ａ，２０Ｂと、を備えている。
この実施形態において、天板部２０Ａ，２０Ｂは、平面視長方形の天板２１Ａ，２１Ｂを備えており、天板２１Ａ，２１Ｂは、平面視した状態で、それぞれの短辺方向において互いに対向している。以下の説明において、天板２１Ａ，２１Ｂが互いに対向する方向（短辺方向）を対向方向、天板２１Ａ，２１Ｂの長手方向に沿った方向を幅方向、デスク装置１０Ａが設置される床面Ｆに直交する方向を上下方向と適宜称する。
【００１４】
脚体１１は、床面Ｆに沿って設けられるベース部材（連結部材）１２，１２と、各ベース部材１２上に設けられて上下方向に延び、天板部２０Ａ，２０Ｂを支持する支持脚部材（支持脚）１３，１３と、を備えている。
【００１５】
ベース部材１２，１２は、幅方向に沿って間隔を空けて配置され、デスク装置１０の幅方向両端部に位置するよう設けられている。各ベース部材１２の下面には、対向方向の両端部に床面Ｆに接地する接地部材１２ｆ，１２ｆが設けられている。各接地部材１２ｆは、ベース部材１２から下方への突出寸法が調整可能であり、これによってベース部材１２の高さおよび水平レベルを調整できるようになっている。
【００１６】
支持脚部材１３は、各ベース部材１２の長さ方向（対向方向）の一端部１２ａと他端部１２ｂとに、それぞれ設けられている。これにより、脚体１１は、デスク装置１０の幅方向両端部に、ベース部材１２と、ベース部材１２の長さ方向の両端部に設けられた支持脚部材１３と、からなる上向きコ字状に形成された脚部材１４をそれぞれ備えている。
【００１７】
各支持脚部材１３は、ベース部材１２の上面１２ｕに固定された第一筒部１３ｘと、第一筒部１３ｘ内に上下方向に移動可能に挿入された第二筒部１３ｙと、第二筒部１３ｙ内に上下方向に移動可能に挿入された第三筒部１３ｚと、を有している。第一筒部１３ｘ、第二筒部１３ｙ、第三筒部１３ｚは、それぞれ角筒状をなしている。各支持脚部材１３は、第一筒部１３ｘに対し、第二筒部１３ｙ、第三筒部１３ｚが上下方向に沿って出没することで、上下方向の長さが調整可能となっている。
【００１８】
さらに、デスク装置１０は、支持脚部材１３の動作を制御する制御ユニット（不図示。
以下同じ。）と、制御ユニットに昇降動作信号を入力するための操作部１９と、を備えている。
制御ユニットは、例えば、天板２１Ａ，２１Ｂの下面等に固定されている。この制御ユニットには、デスク装置１０が配置される執務空間に設けられた商用電源に接続される電源ケーブル（不図示。以下同じ。）が接続されている。
【００１９】
操作部１９は、天板２１Ａ，２１Ｂの下面に設けられている。操作部１９は、制御ユニットに、配線ケーブル（不図示。以下同じ。）を介して電気的に接続されている。
利用者が操作部１９に対して所定の操作を入力すると、操作部１９から配線ケーブルを介し、制御ユニットに操作信号が送信される。制御ユニットは、操作部１９から操作信号を受信すると、受信した信号に基づいて支持脚部材１３に昇降動作を実行させる指令信号を出力する。各支持脚部材１３は、指令信号を受信すると、その指令信号に応じて、例えば各支持脚部材１３に内蔵された伸縮駆動装置（不図示）によって伸縮駆動され、これによって天板部２０Ａ，２０Ｂの高さの調整がなされる。
【００２０】
天板２１Ａ，２１Ｂは、幅方向両端部の下面に、対向方向に延びる支持ブラケット２３をそれぞれ有している。天板２１Ａ，２１Ｂは、これら支持ブラケット２３，２３を介して、幅方向両端部に位置する支持脚部材１３，１３の第三筒部１３ｚの上端に連結されている。
【００２１】
中間パネルユニット３０Ａは、中間仕切パネル（仕切体）３１と、床面Ｆ上に設置され、中間仕切パネル３１を支持するパネル支持体（支持体）３３Ａと、を備えている。
【００２２】
中間仕切パネル３１は、天板２１Ａと天板２１Ｂとの間に配置され、鉛直面内に位置して、天板部２０Ａ，２０Ｂの端部２０ｅと平行に幅方向に延びるよう設けられている。図２に示すように、中間仕切パネル３１の幅方向両端部の下面には、それぞれ、上方に向かって延びるパネル固定用穴３１ｐが形成されている。
ここで、図１に示すように、中間仕切パネル３１は、この実施形態では、天板２１Ａ，２１Ｂとほぼ同等の幅寸法を有しているが、中間仕切パネル３１は、天板２１Ａ，２１Ｂよりも幅寸法が小さくても良いし、天板２１Ａ，２１Ｂよりも幅寸法が大きくても良い。
この中間仕切パネル３１には、例えば、配線１００等を収容する収容ボックス３２を装着することができる。
【００２３】
図２に示すように、パネル支持体３３Ａは、中間仕切パネル３１の幅方向両端部にそれぞれ設けられたベース部材３４と、ベース部材３４と中間仕切パネル３１とを連結するブラケット３５と、を備えている。
【００２４】
ベース部材３４は、平面視略Ｔ字状をなし、デスク装置１０の対向方向に延びるベースプレート３４ａと、ベースプレート３４ａの対向方向中央部から直交してデスク装置１０の幅方向に沿って延びるステー部３４ｂと、を有している。
ベースプレート３４ａの両端部には、それぞれ雌ネジ孔３４ｈが形成されている。ステー部３４ｂには、上下方向に貫通するネジ挿通孔３４ｇ，３４ｇが形成されている。
【００２５】
このようなベース部材３４のベースプレート３４ａ上には、下方に延びる雄ネジ部３６ａを有した位置決めピン（位置決め機構）３６が、雌ネジ孔３４ｈにねじ込まれることで着脱可能に設けられる。デスク装置１０のベース部材１２の一端部１２ａと他端部１２ｂとの下面には、それぞれ位置決めピン３６が挿入される挿入孔１２ｈが形成されている。
【００２６】
ベース部材３４は、デスク装置１０の各ベース部材１２と床面Ｆとの隙間に挿入される。そして、ベースプレート３４ａの両端部のそれぞれにおいて、位置決めピン３６が挿入孔１２ｈに挿入されることで、ベース部材３４は、ベース部材１２に対し床面Ｆに沿った方向において移動不能に拘束される。
【００２７】
ブラケット３５は、ベース部材３４のステー部３４ｂ上に固定される基部３５ａと、基部３５ａから上方に向けて延びるインサート部３５ｂと、を一体に備えている。
基部３５ａは、下面に図示しない雌ねじ穴が形成され、ネジ挿通孔３４ｇ，３４ｇに挿通させたネジ３７，３７によってステー部３４ｂ上に固定される。
インサート部３５ｂは、中間仕切パネル３１のパネル面３１ｆ、つまり幅方向および上下方向を含む鉛直面に沿った板状で、中間仕切パネル３１の両端部の下面に形成されたパネル固定用穴３１ｐに挿入される。また、インサート部３５ｂには、雌ねじ穴３５ｈ，３５ｈが形成されている。さらに、中間仕切パネル３１のパネル面３１ｆにおいてパネル固定用穴３１ｐに貫通する位置にネジ挿通孔３１ｇが形成されており、このネジ挿通孔３１ｇを通してネジ３８を雌ねじ穴３５ｈにねじ込むことで、インサート部３５ｂと中間仕切パネル３１とが連結される。
【００２８】
このような中間パネルユニット３０Ａを設置するには、まず、ベース部材３４を位置決めピン３６，３６により脚体１１のベース部材１２に位置決め固定する。次いで、天板部２０Ａ，２０Ｂの上方から、天板部２０Ａ，２０Ｂの隙間に中間仕切パネル３１を挿入し、その下端部に、ブラケット３５のインサート部３５ｂを挿入して連結する。これによって、デスク装置１０に中間パネルユニット３０Ａを組み合わせて設置することができる。
【００２９】
図３に示すように、上記したような中間パネルユニット３０Ａは、ベース部材３４のベースプレート３４ａが対向方向、すなわち中間仕切パネル３１の両側のパネル面３１ｆに直交する方向に延びているので、デスク装置１０に組み合わせない状態でも、単体で自立可能となっている。
【００３０】
上述したような什器システムによれば、デスク装置１０の一対の天板部２０Ａ，２０Ｂの下方に、床面Ｆ上に設置され、一方の天板部２０Ａ側と他方の天板部２０Ｂ側とを仕切る中間パネルユニット３０Ａを備えている。中間パネルユニット３０Ａを設けることで、一方の天板部２０Ａ側と他方の天板部２０Ｂ側とを仕切り、個別空間の独立性を高めることができる。また、中間パネルユニット３０Ａを床面Ｆ上に設置することで、デスク装置１０とは別体とすることができ、必要なときのみデスク装置１０と組み合わせて設置することができる。これにより、天板部２０Ａ，２０Ｂを備えたデスク装置１０に対し、中間パネルユニット３０Ａを必要に応じて容易に着脱することができ、高い自由度で仕切機能を付加することが可能となる。
【００３１】
また、中間パネルユニット３０Ａは、中間仕切パネル３１と、床面Ｆ上に設置され、中間仕切パネル３１に対して着脱可能に連結されて中間仕切パネル３１を支持するパネル支持体３３Ａを備えている。このように構成することで、中間パネルユニット３０Ａを設置する際には、パネル支持体３３Ａを一対の天板部２０Ａ，２０Ｂの下方の床面Ｆ上に設置した後、中間仕切パネル３１を一対の天板部２０Ａ，２０Ｂ同士の間に配置し、中間仕切パネル３１をパネル支持体３３Ａに連結すれば良い。また、デスク装置１０から中間パネルユニット３０Ａを撤去する際には、中間仕切パネル３１をパネル支持体３３Ａから取り外した後、中間仕切パネル３１を一対の天板部２０Ａ，２０Ｂ同士の間から撤去するとともに、パネル支持体３３Ａを一対の天板部２０Ａ，２０Ｂの下方の床面Ｆ上から撤去すればよい。このようにして、デスク装置１０に対し、中間パネルユニット３０Ａを容易に設置したり撤去したりすることが可能となる。
【００３２】
中間仕切パネル３１は、幅方向に連続し、床面Ｆに直交した鉛直面内で幅方向に連続するパネル状をなしている。このように構成することで、一方の天板部２０Ａ側と他方の天板部２０Ｂ側とを仕切ることができる。
【００３３】
パネル支持体３３Ａは、中間仕切パネル３１を床面Ｆ上で自立可能に支持している。このように構成することで、中間パネルユニット３０Ａをデスク装置１０に連結することなく、中間パネルユニット３０Ａ自体を自立させることができる。また、中間パネルユニット３０Ａをデスク装置１０から離した状態においても、中間パネルユニット３０Ａ自体を自立させて使用することができる。
【００３４】
また、中間パネルユニット３０Ａは、脚部材１４に対して位置決め可能な位置決めピン３６を備えている。このように構成することで、中間パネルユニット３０Ａをデスク装置１０に組み合わせて使用する場合に、中間パネルユニット３０Ａが位置ずれすることを防止できる。
【００３５】
脚部材１４は、一対の天板部２０Ａ，２０Ｂのそれぞれを支持する支持脚部材１３と、一方の天板部２０Ａの支持脚部材１３と他方の天板部２０Ｂの支持脚部材１３とを連結するベース部材１２と、を備える。このように構成することで、一対の天板部２０Ａ，２０Ｂどうしを支持する脚部材１４が一体化され、一方の天板部２０Ａと他方の天板部２０Ｂとが脚部材１４によって一体に支持される。
【００３６】
さらに、支持脚部材１３は、上下方向に伸縮可能で、天板部２０Ａ，２０Ｂの高さを調整可能であるようにしてもよい。このように構成することで、一方の天板部２０Ａと他方の天板部２０Ｂを、それぞれ任意の高さに設定して使い勝手を向上させることができる。
【００３７】
（第２の実施形態）
次に、天板付き什器の第２の実施形態について説明する。なお、以下に説明する第２の実施形態において、デスク装置１０の構成は、上記第１実施形態に示したデスク装置１０と同様であり、中間パネルユニット３０Ｂの構成のみが異なる。そこで、上記第１の実施形態と共通する構成については図中に同符号を付してその説明を省略する。
【００３８】
図４は、第２の実施形態における仕切ユニットの構成を示す斜視図である。
図５は、上記第２の実施形態における仕切ユニットの脚体の一部の構成を示す斜視図である。
図４に示すように、この実施形態におけるデスクシステム（什器システム）１Ｂは、デスク装置１０と、中間パネルユニット（仕切ユニット）３０Ｂと、を備えている。
【００３９】
中間パネルユニット３０Ｂは、中間仕切パネル３１と、床面Ｆ上に設置され、中間仕切パネル３１を支持するパネル支持体（支持体）３３Ｂと、を備えている。
【００４０】
パネル支持体３３Ｂは、中間仕切パネル３１の幅方向両端部にそれぞれ設けられた脚体４１，４１と、脚体４１，４１間に架設されたトレー部４２と、を備えている。
【００４１】
図５に示すように、脚体４１は、対向方向に間隔を空けて配置され、床面Ｆ上に設置されて上方に向かって延びる支柱４３，４３と、対向方向に沿って延び、これら支柱４３，４３の上端部同士を結ぶ横架材４４と、を備えた門型をなしている。
横架材４４の長手方向中間部には、横架材４４の長手方向に直交して延びるステー部４５が一体に設けられている。
【００４２】
トレー部４２は、その幅方向両端部が、横架材４４から延びるステー部４５上に支持される。ここで、トレー部４２は、対向方向の中央部の下面に、上方に向かって凹となり、ステー部４５が挿入配置された凹部４２ａと、対向方向一方の側と他方の側の両方に形成され、それぞれ下方に向かって凹となる凹溝４２ｂと、が形成されている。
トレー部４２は、その幅方向両端部のそれぞれにおいて、脚体４１のステー部４５上に載せて、凹部４２ａ内にステー部４５を挿入する。そして、図示しないネジ等によりトレー部４２とステー部４５とを締結する。
図１に示すように、このようなトレー部４２には、凹溝４２ｂ内に配線１００等を収容することができる。
【００４３】
中間仕切パネル３１は、パネル支持体３３Ｂのトレー部４２の上面に、適宜の支持金具によって連結されている。
【００４４】
このような中間パネルユニット３０Ｂは、脚体４１，４１が、幅方向において間隔を空けて設けられた脚体１１，１１の内側に沿うよう設けられている。また、トレー部４２は、対向方向において互いに前後する天板部２０Ａ，２０Ｂの隙間の下方に配置され、これによって、中間仕切パネル３１は、天板部２０Ａ，２０Ｂの隙間を仕切るように設けられている。
【００４５】
このような中間パネルユニット３０Ｂを設置するには、まず、脚体４１，４１とトレー部４２とからなるパネル支持体３３Ｂを組み立てる。このパネル支持体３３Ｂをデスク装置１０の対向方向一方の側から他方の側に向かって、天板部２０Ａ，２０Ｂの下方空間に押し込む。トレー部４２が、天板部２０Ａ，２０Ｂの隙間の鉛直下方に位置するようにパネル支持体３３Ｂをセットしたら、天板部２０Ａ，２０Ｂの上方から、天板部２０Ａ，２０Ｂの隙間に中間仕切パネル３１を挿入し、その下端部をトレー部４２上に載置して連結する。これによって、デスク装置１０に中間パネルユニット３０Ｂを組み合わせて設置することができる。
【００４６】
図６は、上記第２の実施形態における仕切ユニットを単体で設置した状態を示す斜視図である。図７は、上記第２の実施形態における仕切ユニットを単体で設置した状態の他の例を示す斜視図である。
図６に示すように、上記のような中間パネルユニット３０Ｂは、単体でも床面Ｆ上に設置することができる。さらには、図７に示すように、中間パネルユニット３０Ｂ単体で利用する場合、幅方向両側に、側部仕切パネル４８，４８を設けるようにしても良い。
【００４７】
上述したような天板付き什器によれば、上記第１の実施形態と同様、デスクシステム１Ｂは、デスク装置１０と、一対の天板部２０Ａ，２０Ｂの下方において床面Ｆ上に設置され、一方の天板部２０Ａ側と他方の天板部２０Ｂ側とを仕切る中間パネルユニット３０Ｂと、を備えている。
このような構成によれば、中間パネルユニット３０Ｂを設けることで、一方の天板部２０Ａ側と他方の天板部２０Ｂ側とを仕切り、個別空間の独立性を高めることができる。
また、中間パネルユニット３０Ｂを床面Ｆ上に設置することで、デスク装置１０とは別体とすることができ、必要なときのみデスク装置１０と組み合わせて設置することができる。これにより、天板部２０Ａ，２０Ｂを備えたデスク装置１０に対し、中間パネルユニット３０Ｂを必要に応じて容易に着脱することができ、高い自由度で仕切機能を付加することが可能となる。
【００４８】
中間パネルユニット３０Ｂは、中間仕切パネル３１と、床面Ｆ上に設置され、中間仕切パネル３１を支持するパネル支持体３３Ｂを備えている。このように構成することで、中間パネルユニット３０Ｂを設置する際には、パネル支持体３３Ｂを一対の天板部２０Ａ，２０Ｂの下方の床面Ｆ上に設置した後、中間仕切パネル３１を一対の天板部２０Ａ，２０Ｂ同士の間に配置し、中間仕切パネル３１をパネル支持体３３Ｂに連結すれば良い。また、デスク装置１０から中間パネルユニット３０Ｂを撤去する際には、中間仕切パネル３１をパネル支持体３３Ｂから取り外した後、中間仕切パネル３１を一対の天板部２０Ａ，２０Ｂ同士の間から撤去するとともに、パネル支持体３３Ｂを一対の天板部２０Ａ，２０Ｂの下方の床面Ｆ上から撤去すればよい。このようにして、デスク装置１０に対し、中間パネルユニット３０Ｂを容易に設置したり撤去したりすることが可能となる。
【００４９】
パネル支持体３３Ｂは、一対の天板部２０Ａ，２０Ｂの幅方向の両端部にそれぞれ設けられた脚部材１４，１４の間に配置されている。このように構成することで、パネル支持体３３Ｂは、一対の天板部２０Ａ，２０Ｂの下方であって、幅方向両端部の脚部材１４，１４間の床面Ｆ上に対し、一対の天板部２０Ａ，２０Ｂが対向する方向に沿って容易に出し入れすることができる。
【００５０】
中間仕切パネル３１は、幅方向に連続し、床面Ｆに直交した鉛直面内で幅方向に連続するパネル状である。この中間仕切パネル３１によって、一方の天板部２０Ａ側と他方の天板部２０Ｂ側とを仕切ることができる。
【００５１】
パネル支持体３３Ｂは、中間仕切パネル３１を床面Ｆ上で自立可能に支持する。このように構成することで、中間パネルユニット３０Ｂをデスク装置１０に連結することなく、中間パネルユニット３０Ｂ自体を自立させることができる。また、中間パネルユニット３０Ｂをデスク装置１０から離した状態においても、中間パネルユニット３０Ｂ自体を自立させて使用することができる。
【００５２】
脚部材１４は、一対の天板部２０Ａ，２０Ｂのそれぞれを支持する支持脚部材１３と、天板部２０Ａ，２０Ｂ同士が対向する方向に延びて、一方の天板部２０Ａの支持脚部材１３と他方の天板部２０Ｂの支持脚部材１３とを連結するベース部材１２と、を備える。
このように構成することで、一対の天板部２０Ａ，２０Ｂどうしを支持する脚部材１４が一体化され、一方の天板部２０Ａと他方の天板部２０Ｂとが脚部材１４を介して一体化される。
【００５３】
支持脚部材１３は、上下方向に伸縮可能で、天板部２０Ａ，２０Ｂの高さを調整可能である。このように構成することで、一方の天板部２０Ａと他方の天板部２０Ｂを、それぞれ任意の高さに設定して使い勝手を向上させる。
【００５４】
（その他の実施形態）
なお、本発明の天板付き什器は、図面を参照して説明した上述の各実施形態に限定されるものではなく、その技術的範囲において様々な変形例が考えられる。
例えば、中間仕切パネル３１は、幅方向に連続し、床面Ｆに直交した鉛直面内で幅方向に連続するパネル状としたが、これに限らず、例えば幅方向に延在する帯状、箱状、布状等としても良い。また、仕切ユニットは、中間仕切パネル３１が有する天板部２０Ａ，２０Ｂの一方側と他方側とを仕切る機能に加えて、収納機能などを有していてもよいし、使用者側に突出して使用者が着座可能に構成されていてもよい。
また、中間仕切パネル３１の設置高さは、適宜設定すれば良い。
また、中間仕切パネル３１は、デスク装置１０の幅方向全体に連続しているが、デスク装置１０の幅方向少なくとも一部の領域において、一対の天板部２０Ａ，２０Ｂの一方の側と他方側とを仕切ることが可能であればよい。
【００５５】
これ以外にも、本発明の主旨を逸脱しない限り、上記実施の形態で挙げた構成を取捨選択したり、他の構成に適宜変更したりすることが可能である。
【符号の説明】
【００５６】
１Ａ  什器システム
１０  デスク装置
１３  支持脚
２０Ａ，２０Ｂ  天板部
３０Ａ  仕切ユニット
３１  仕切体
３１ｆ  パネル面
３２  収容ボックス
３３Ａ  支持体
１００  配線
【図１】
2018027331.tif 000003
【図２】
2018027331.tif 000004
【図３】
2018027331.tif 000005
【図４】
2018027331.tif 000006
【図５】
2018027331.tif 000007
【図６】
2018027331.tif 000008
【図７】
2018027331.tif 000009